(57)【要約】【課題】各ユーザが共通アドレス帳をカスタマイズして個人用アドレス帳として利用するのを容易とする。【解決手段】サーバ装置のアドレス帳データベースは、一元的に管理がなされる共通アドレス帳用データを格納する。アドレス帳表示制御手段は、端末装置の表示画面において、アドレス帳データベースに基づく共通アドレス帳及び端末装置毎に設定可能な階層型個人アドレス帳を並列して表示させる。操作受付手段は、共通アドレス帳に含まれるアドレスデータのうち、階層型個人アドレス帳に組み込むアドレスデータを特定する操作を受け付ける。これにより、データ変換手段は、操作を受け付けたアドレスデータを階層型個人アドレス帳に組み込む階層型アドレスデータに変換する。【選択図】図１
2014052665.tif 000002
【特許請求の範囲】
【請求項１】
通信ネットワークを介して複数の端末装置に接続可能なサーバ装置において、
一元的に管理がなされる共通アドレス帳用データを格納したアドレス帳データベースと、
前記端末装置の表示画面において、前記アドレス帳データベースに基づく共通アドレス帳及び前記端末装置毎に設定可能な階層型個人アドレス帳を並列して表示させるアドレス帳表示制御手段と、
前記共通アドレス帳に含まれるアドレスデータのうち、前記階層型個人アドレス帳に組み込むアドレスデータを特定する操作を受け付ける操作受付手段と、
前記操作を受け付けたアドレスデータを前記階層型個人アドレス帳に組み込む階層型アドレスデータに変換するデータ変換手段と、
を備えたサーバ装置。
【請求項２】
前記アドレス帳表示制御手段は、前記表示画面の共通アドレス帳表示領域に前記共通アドレス帳を表示させ、
前記共通アドレス帳表示領域に並列に配置された個人アドレス帳表示領域に前記階層型個人アドレス帳を表示させる、
請求項１記載のサーバ装置。
【請求項３】
前記操作受付手段は、前記共通アドレス帳表示領域に表示されている前記共通アドレス帳に含まれるアドレス特定情報を、前記個人アドレス帳表示領域にドラッグアンドドロップする操作を、前記アドレスデータを特定する操作として受け付ける、
請求項２記載のサーバ装置。
【請求項４】
前記共通アドレス帳は、階層型構造を有し、
前記データ変換手段は、前記階層型構造を維持したまま、前記階層型アドレスデータに変換する、
請求項１乃至請求項３のいずれかに記載のサーバ装置。
【請求項５】
一元的に管理がなされる共通アドレス帳用データを格納したアドレス帳データベースを有し、通信ネットワークを介して複数の端末装置に接続可能なサーバ装置において実行される制御方法において、
前記端末装置の表示画面において、前記アドレス帳データベースに基づく共通アドレス帳及び前記端末装置毎に設定可能な階層型個人アドレス帳を並列して表示させるアドレス帳表示制御過程と、
前記共通アドレス帳に含まれるアドレスデータのうち、前記階層型個人アドレス帳に組み込むアドレスデータを特定する操作を受け付ける操作受付過程と、
前記操作を受け付けたアドレスデータを前記階層型個人アドレス帳に組み込む階層型アドレスデータに変換するデータ変換過程と、
を備えた制御方法。
【請求項６】
一元的に管理がなされる共通アドレス帳用データを格納したアドレス帳データベースを有し、通信ネットワークを介して複数の端末装置に接続可能なサーバ装置をコンピュータにより制御する制御プログラムであって、
前記コンピュータを、
前記端末装置の表示画面において、前記アドレス帳データベースに基づく共通アドレス帳及び前記端末装置毎に設定可能な階層型個人アドレス帳を並列して表示させるアドレス帳表示制御手段と、
前記共通アドレス帳に含まれるアドレスデータのうち、前記階層型個人アドレス帳に組み込むアドレスデータを特定する操作を受け付ける操作受付手段と、
前記操作を受け付けたアドレスデータを前記階層型個人アドレス帳に組み込む階層型アドレスデータに変換するデータ変換手段と、
して機能させる、制御プログラム。
【発明の詳細な説明】
【技術分野】
【０００１】
本発明の実施形態は、サーバ装置、制御方法及び制御プログラムに関する。
【背景技術】
【０００２】
従来、ユーザ端末（ＰＣ）上では、様々なアプリケーションが利用されている。
これらのアプリケーションの内、メールアプリケーションでは、複数のメールアドレスを一元的に管理するアドレス帳が一般的に利用されている。
【０００３】
ところで、企業内（あるいは企業間）などでは、組織内の個人のメールアドレスを探すためのアドレス帳として、組織構成と対応付けて構築された階層型アドレス帳（階層型アドレス帳データベース）が利用される場合がある。
このような階層型アドレス帳を使用する環境では、階層型アドレス帳用データベースが
組織の変更や人の移動に伴って変更される必要があることから、そのアドレスデータは、共通アドレス帳用データとして、複数のユーザ端末において共通して利用でき、かつ、一元的に管理できるようにされている。
【発明の概要】
【発明が解決しようとする課題】
【０００４】
ところで、組織が大きい場合等には、ユーザ端末を利用するユーザにおいては、階層型アドレス帳用データベースに含まれる全てのアドレスデータを利用することはまれであり、ある特定のアドレスデータ（群）の利用が行われることが一般的である。
【０００５】
しかしながら、上述したように階層型アドレス帳用データベースは、複数のユーザ端末において共通して利用でき、かつ、一元的に管理されていることから、各ユーザがカスタマイズして個人用アドレス帳として利用することはできず、所望のアドレスデータを取得するまでの手間がかかり、アドレスの設定に要する時間がかかってしまっていた。
【課題を解決するための手段】
【０００６】
実施形態のサーバ装置は、通信ネットワークを介して複数の端末装置に接続可能なサーバ装置である。
サーバ装置のアドレス帳データベースは、一元的に管理がなされる共通アドレス帳用データを格納する。
【０００７】
また、アドレス帳表示制御手段は、端末装置の表示画面において、アドレス帳データベースに基づく共通アドレス帳及び端末装置毎に設定可能な階層型個人アドレス帳を並列して表示させる。
操作受付手段は、共通アドレス帳に含まれるアドレスデータのうち、階層型個人アドレス帳に組み込むアドレスデータを特定する操作を受け付ける。
【０００８】
データ変換手段は、操作を受け付けたアドレスデータを階層型個人アドレス帳に組み込む階層型アドレスデータに変換する。
【図面の簡単な説明】
【０００９】
【図１】図１は、実施形態のサーバ−クライアントシステムの概要構成ブロック図である。
【図２】図２は、クライアント端末装置における共通アドレス帳表示画面の一例の説明図である。
【図３】図３は、階層構造表示領域に表示されている組織の組織構造を入れ子集合構造で示した説明図である。
【図４】図４は、クライアント端末装置の動作モード遷移の説明図である。
【図５】図５は、マイアドレス帳作成モード移行時の初期状態の説明図である。
【図６】図６は、図５の状態における共通アドレス帳データのデータ構造をＸＭＬで記述した場合の説明図である。
【図７】図７は、マイアドレス帳において作成予定の組織構造を入れ子集合構造で示した説明図である。
【図８】図８は、マイアドレス帳データのデータ構造をＸＭＬで記述した場合の説明図である。
【図９】図９は、組織追加後の表示画面の説明図である。
【図１０】図１０は、アドレス追加操作の説明図である。
【発明を実施するための形態】
【００１０】
以下、実施形態について図面を参照して説明する。
図１は、実施形態のサーバ−クライアントシステムの概要構成ブロック図である。
サーバ−クライアントシステム１０は、共通アドレス帳データベース１１を管理するサーバ装置１２と、サーバ装置１２とＬＡＮ等の通信ネットワーク１３を介して接続された複数のクライアント端末装置１４と、を備えている。
【００１１】
クライアント端末装置１４は、パーソナルコンピュータとして構成されており、クライアント端末装置１４全体を制御するＭＰＵと、各種制御プログラムを不揮発的に記憶するＲＯＭと、ワーキングエリアとして機能し、各種データを一時的に記憶するＲＡＭと、各種データを記憶する外部記憶装置と、通信ネットワーク１３を介して通信を行うための通信インタフェースと、各種情報を表示する表示装置としてのディスプレイと、各種操作を行うためのキーボード、マウス等を備えた操作部と、を備えている。
【００１２】
ここで、サーバ装置１２には、共通アドレス帳データベース１１の管理を含む各種管理を行うグループウェア（企業など組織内のコンピュータネットワークを活用した情報共有のためのシステムソフトウェア：例えば、マイクロソフト社の「Ｅｘｃｈａｎｇｅ  ｓｅｒｖｅｒ」）がインストールされている。
【００１３】
一方、複数のクライアント端末装置１４には、このグループウェアのクライアントとして機能する個人情報管理アプリケーション（例えば、マイクロソフト社のＯｕｔｌｏｏｋ（登録商標））がインストールされている。
【００１４】
これらの結果、各クライアント端末装置１４においては、個人情報管理アプリケーションＰＩＭを操作することにより、サーバ装置１２のグループウェアＧＷを介して、共通アドレス帳データベース１１を利用することが可能となっている。
【００１５】
実際に各クライアント端末装置１４のユーザが共通アドレス帳データベース１１に対応する共通アドレス帳を利用する場合には、各クライアント端末装置１４の図示しないディスプレイに表示可能なように、サーバ装置１２のグループウェアが共通アドレス帳データベース１１を参照して、所定のマークアップ言語（例えば、ＸＭＬ）を用いた共通アドレス帳表示用データに変換して各クライアント端末装置１４にダウンロードすることとなる。
【００１６】
図２は、クライアント端末装置における共通アドレス帳表示画面の一例の説明図である。
サーバ装置１２から共通アドレス帳表示用データがダウンロードされると、クライアント端末装置１４のＭＰＵ上で動作する個人情報管理アプリケーションは、共通アドレス帳画面をディスプレイの表示画面に表示する。
【００１７】
共通アドレス帳画面２０は、表示対象（参照対象）の共通アドレス帳を選択するためのアドレス帳選択ボックス２１と、共通アドレス帳を利用する場合に、検索を行うための検索ボックス２２と、後述するマイアドレス帳を作成する際にクリックされるマイアドレス帳作成ボタン２３と、アドレス帳選択ボックス２１において選択された共通アドレス帳の階層構造を表示する階層構造表示領域２４と、階層構造表示領域２４において選択されている階層（フォルダあるいはディレクトリ）に属するメールアドレスを表示するメールアドレス表示領域２５と、を備えている。階層構造表示領域２４及びメールアドレス表示領域２５とは、共通アドレス帳表示領域２６として機能している。
【００１８】
図３は、階層構造表示領域に表示されている組織の組織構造を入れ子集合構造で示した説明図である。
図３に示すように階層構造表示領域２４に表示されている組織であるその他組織Ｇ０は、大別すると、第１の組織を構成している新宿本社Ｇ１と、第２の組織を構成している営業本部Ｇ２と、が設けられている。なお、図３においては、新宿本社Ｇ１の組織構成については図示を省略している。
【００１９】
営業本部Ｇ１には、組織としての営業一課Ｇ３が設けられ、この営業一課Ｇ３には、第一の組織を構成している法人向け担当グループＧ４と、第二の組織を構成している一般担当グループＧ５と、が設けられている。
ここで、法人向け担当グループＧ４には、第一組織としての法１ユニットＧ４１と、第二組織としての法２ユニットＧ４２と、が設けられている。
【００２０】
一方、一般担当グループＧ５には、組織としても一般１ユニットＧ６が設けられ、この一般１ユニットＧ６には、第１エリア担当Ｇ７が設けられている。
そして、第１エリア担当Ｇ７には、二人のユーザＵ１、Ｕ２が属している。
【００２１】
次に上記共通アドレス帳から各クライアント端末装置１４のユーザが個別の階層型個人アドレス帳（以下、マイアドレス帳）を作成するマイアドレス帳作成モードの処理について説明する。
【００２２】
図４は、クライアント端末装置の動作モード遷移の説明図である。
図５は、マイアドレス帳作成モード移行時の初期状態の説明図である。
以下の説明においては、マイアドレス帳は未だ作成されていないものとして説明する。
【００２３】
マイアドレス帳作成モードに移行するには、まずクライアント端末装置１４のユーザは、マイアドレス帳作成ボタン２３をクリックする。
これにより、クライアント端末装置１４の個人情報管理アプリケーションＰＩＭは、コピー元アドレス帳選択モードＭ１に移行する。
【００２４】
そして、図５に示すように、階層構造表示領域２４及びメールアドレス表示領域２５を備えた共通アドレス帳表示領域２６の下方に、マイアドレス帳表示領域３０が表示される。
ここで、マイアドレス帳表示領域３０は、マイアドレス帳の階層構造を表示する階層構造表示領域３１と、階層構造表示領域３１において選択されている階層（フォルダあるいはディレクトリ）に属するメールアドレスを表示するメールアドレス表示領域３２と、階層構造表示領域３１に表示されている組織としての階層を編集したり、新たに組織としての階層を追加したりするための組織編集・追加ボタン３３と、を備える。
【００２５】
初期状態においては、階層構造表示領域３１においては、最上位の階層である「マイアドレス帳」の表示がなされているだけであり、メールアドレス表示領域３２には、何も表示されていない。
【００２６】
続いて、クライアント端末装置１４のユーザは、アドレス帳選択ボックス２１をクリックして、参照可能な共通アドレス帳のリスト（図示せず）を表示させ、所望の共通アドレス帳をクリックして選択する。
【００２７】
これに伴って、クライアント端末装置１４のディスプレイの表示画面のアドレス帳選択ボックス２１には、選択した共通アドレス帳の名称が表示され、階層構造表示領域２４及びメールアドレス表示領域２５の表示内容が選択した共通アドレス帳の内容に更新される。
図５においては、予め表示されている共通アドレス帳「その他組織」を用いるため、表示はそのままとなっている。
【００２８】
そして所望の共通アドレス帳の選択が完了すると、動作モードは、コピー元アドレス帳選択モードＭ１から個人アドレス作成モードＭ２に移行する。
この状態においては、共通アドレス帳に含まれるメールアドレスをマイアドレス帳に追加するアドレス追加及び組織編集・追加ボタン３３のクリックによる組織編集・追加モードＭ３への移行が行える。
【００２９】
ここで、共通アドレス帳データのデータ構造について説明する。
図６は、図５の状態における共通アドレス帳データのデータ構造をＸＭＬで記述した場合の説明図である。
図６に示すように、図５に示す「その他組織」の階層構造は、ＸＭＬのタグを用いて表現されている。
【００３０】
「ｏｒｇａｎｉｚａｔｉｏｎ  ｄｉｓｐｌａｙＮａｍｅ」タグにより組織名が記述され、当該「ｏｒｇａｎｉｚａｔｉｏｎ  ｄｉｓｐｌａｙＮａｍｅ」タグに対応する当該組織の定義終了を表す「／ｏｒｇａｎｉｚａｔｉｏｎ」タグに挟まれた領域に記載された内容により入れ子集合構造として「その他組織」の階層構造が記述されている。
【００３１】
そして、ユーザタグを構成している属性パラメータｆｕｎに、メールアドレスのユーザのフルネームが格納され、属性パラメータｍａｉｌに対応するメールアドレスが格納されている。
【００３２】
図７は、マイアドレス帳において作成予定の組織構造を入れ子集合構造で示した説明図である。
図７に示すように、今回作成する予定のマイアドレス帳においては、マイアドレス帳Ｇ１１の下位階層に、同期メンバーＧ１２を設ける。さらに作成する予定のマイアドレス帳Ｇ１１においては、同期メンバーＧ１２の階層の下位階層に「よく連絡する営業さん」Ｇ１３の階層を設け、そこに第１エリア担当Ｇ７の二人のユーザのうち、ユーザＵ１のメールアドレスを追加するものとする。
【００３３】
図８は、マイアドレス帳データのデータ構造をＸＭＬで記述した場合の説明図である。
図８（ａ）には、図５に示した時点での「マイアドレス帳」の階層構造を、ＸＭＬのタグを用いて記述している。
この時点においては、マイアドレス帳の階層しか存在しないため、図８（ａ）に示すように、「ｏｒｇａｎｉｚａｔｉｏｎ  ｄｉｓｐｌａｙＮａｍｅ」タグにより組織名＝「マイアドレス帳」及び当該「ｏｒｇａｎｉｚａｔｉｏｎ  ｄｉｓｐｌａｙＮａｍｅ」タグに対応する当該組織の定義終了を表す「／ｏｒｇａｎｉｚａｔｉｏｎ」タグが記述されているだけである。
【００３４】
以下、順を追って作業を説明する。
まず、クライアント端末装置１４のユーザは、組織編集・追加ボタン３３をクリックすることにより組織編集・追加モードＭ３へ移行させる。
これにより、まず、クライアント端末装置１４のユーザは、マイアドレス帳Ｇ１１の下位階層に、同期メンバーＧ１２を設ける。
【００３５】
より具体的には、階層構造表示領域３１においてマイアドレス帳Ｇ１１の階層にカーソル（例えば、カーソル枠若しくは階層名の反転表示等）が位置している状態で、組織編集・追加ボタン３３をクリックすると、マイアドレス帳Ｇ１１の下位階層に、例えば、「新規階層」という階層が表示されるので、当該階層の名称を「同期メンバー」として、同期メンバーＧ１２の階層を作成する。
【００３６】
続いて、クライアント端末装置１４のユーザは同期メンバーＧ１２の下位階層に、「よく連絡する営業さん」Ｇ１３を設ける。
より具体的には、階層構造表示領域３１において同期メンバーＧ１２の階層にカーソルが位置している状態で、組織編集・追加ボタン３３をクリックすると、同期メンバーＧ１２の下位階層に、例えば、「新規階層」という階層が表示されるので、当該階層の名称を「よく連絡する営業さん」として、「よく連絡する営業さん」Ｇ１３の階層を作成する。
【００３７】
図９は、組織追加後の表示画面の説明図である。
図９に示すように、階層構造表示領域３１において、マイアドレス帳の階層の下位階層に同期メンバーＧ１２の階層が作成され、さらに下位階層に「よく連絡する営業さん」Ｇ１３の階層が表示される。
図８（ｂ）には、図９に示した時点での「マイアドレス帳」の階層構造を、ＸＭＬのタグを用いて記述している。
【００３８】
この時点においては、マイアドレス帳Ｇ１１の階層の下位階層に同期メンバーＧ１２の階層が存在し、さらに下位階層に「よく連絡する営業さん」Ｇ１３の階層が存在するため、図８（ａ）の状態と比較して、「ｏｒｇａｎｉｚａｔｉｏｎ  ｄｉｓｐｌａｙＮａｍｅ」タグにより組織名＝「同期メンバー」、当該「ｏｒｇａｎｉｚａｔｉｏｎ  ｄｉｓｐｌａｙＮａｍｅ」タグに対応する当該組織の定義終了を表す「／ｏｒｇａｎｉｚａｔｉｏｎ」タグ、「ｏｒｇａｎｉｚａｔｉｏｎ  ｄｉｓｐｌａｙＮａｍｅ」タグにより組織名＝「よく連絡する営業さん」及び当該「ｏｒｇａｎｉｚａｔｉｏｎ  ｄｉｓｐｌａｙＮａｍｅ」タグに対応する当該組織の定義終了を表す「／ｏｒｇａｎｉｚａｔｉｏｎ」タグが追加された状態となっている。
【００３９】
図１０は、アドレス追加操作の説明図である。
図９の状態において、共通アドレス帳表示領域２６のメールアドレス表示領域２５に表示されている所望のユーザのメールアドレスをクリックアンドドラッグして、マイアドレス帳表示領域３０のメールアドレス表示領域３２にドロップする追加操作ＯＰを行うと、当該メールアドレスがマイアドレス帳に追加され、図１０に示す状態となる。
【００４０】
すなわち、マイアドレス帳表示領域３０のメールアドレス表示領域３２に登録したユーザの氏名及びメールアドレスが表示されている。
図８（ｃ）には、図１０に示した時点での「マイアドレス帳」の階層構造を、ＸＭＬのタグを用いて記述している。
【００４１】
この時点においては、マイアドレス帳Ｇ１１の階層の下位階層に同期メンバーＧ１２の階層が存在し、さらに下位階層に「よく連絡する営業さん」Ｇ１３の階層が存在し、さらに「よく連絡する営業さん」Ｇ１３の階層中に、追加したユーザ名＝「○山Ａ作」及びメールアドレス＝「Ｅｉｓａｋｕ＿Ｍａｒｕｙａｍａ＠ｓｏｎｏｔａ．ｃｏ．ｊｐ」が追加され、図８（ｂ）の状態と比較して、「ｕｓｅｒ」タグが追加された状態となっている。
【００４２】
以上の説明のように、本実施形態によれば、サーバ装置１２により一元管理されている共通アドレス帳データを利用してクライアント端末装置１４において、マイアドレス帳を簡易な操作（上述の例の場合、ドラッグアンドドロップ）で行うことができる。
上記階層構造のマイアドレス帳（階層型個人アドレス帳）に組み込む階層型アドレスデータを生成する処理は、連続的に繰り返して行うことが可能である。
【００４３】
以上の説明は、アドレスデータのみを取り込む場合の説明であったが、階層構造表示領域２４において、所望の階層をクリックアンドドラッグして、マイアドレス帳表示領域３０の階層構造表示領域３１にドロップすることにより、同様に階層構造のまま、マイアドレス帳データに取り込むことが可能である。
【００４４】
より具体的には、図５に示した「第一エリア担当」階層を全てマイアドレス帳に取り込む場合には、階層構造表示領域２４において、「第一エリア担当」階層をクリックアンドドラッグして、マイアドレス帳表示領域３０の階層構造表示領域３１にドロップすることにより、「第一エリア担当」階層に属する全ての階層をマイアドレス帳データに取り込むことが可能となる。
【００４５】
この場合には、図６に示した記述の内、記述群Ｌ１部分がマイアドレス帳の取り込み先階層を表すタグ部分にコピーされることとなる。
以上の説明においては、共通アドレス帳データが階層構造の場合を例として説明したが、階層構造を有さない場合であっても同様に、階層構造のマイアドレス帳（階層型個人アドレス帳）に組み込む階層型アドレスデータを生成することが可能である。
そして、生成された階層構造のマイアドレス帳（階層型個人アドレス帳）に組み込む階層型アドレスデータは、クライアント端末装置１４あるいはサーバ装置１２に保存され、処理を終了する。
【００４６】
上述した、グループウェアＧＷ及び個人情報管理アプリケーションＰＩＭなどの制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。あるいは、この制御プログラムを、インターネット等のネットワークに接続されたコンピュータ上に格納し、ネットワーク経由でダウンロードさせることにより、または配信することにより提供するように構成してもよい。あるいは、このプログラムを、ＲＯＭやＨＤＤ等の不揮発性の記憶装置に予め組み込んで提供するように構成してもよい。また、サーバ装置１２の実現には、スタンドアロンのサーバ装置に限らず、例えば、クラウドコンピューティングを利用できる。
【００４７】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。また、この実施形態やその変形は、発明の範囲や要旨に含まれるとともに、特許請求の範囲に記載された発明とその均等の範囲に含まれる。
【符号の説明】
【００４８】
１０    サーバ−クライアントシステム
１１    共通アドレス帳データベース
１２    サーバ装置
１３    通信ネットワーク
１４    クライアント端末装置
２０    共通アドレス帳画面
２１    アドレス帳選択ボックス
２２    検索ボックス
２３    マイアドレス帳作成ボタン
２４    階層構造表示領域
２５    メールアドレス表示領域
２６    共通アドレス帳表示領域
３０    マイアドレス帳表示領域（個人アドレス帳表示領域）
３１    階層構造表示領域
３２    メールアドレス表示領域
３３    組織編集・追加ボタン
ＧＷ    グループウェア
Ｍ１    コピー元アドレス帳選択モード
Ｍ２    個人アドレス作成モード
Ｍ３    組織編集・追加モード
ＯＰ    追加操作（アドレスデータを特定する操作）
ＰＩＭ  個人情報管理アプリケーション
【先行技術文献】
【特許文献】
【００４９】
【特許文献１】特開２００７−０５８４５７号公報
【図１】
2014052665.tif 000003
【図２】
2014052665.tif 000004
【図３】
2014052665.tif 000005
【図４】
2014052665.tif 000006
【図５】
2014052665.tif 000007
【図６】
2014052665.tif 000008
【図７】
2014052665.tif 000009
【図８】
2014052665.tif 000010
【図９】
2014052665.tif 000011
【図１０】
2014052665.tif 000012